(57)【要約】つま先が細くて靴底が傾斜したハイヒールのような靴であっても、足をつま先側へ滑らせず、足を捩じれさせず傾かせずできるインソール及びそのインソールの形態を備えた靴を提供することを課題とする。中足骨頭部後側から前方に対応する範囲に、中足骨頭部の前側に対応させて横断的に横断隆起部を山脈状に形成し、かつ、第２趾に対応する部位から第５趾側に向けて緩やかな上り勾配を形成し、ハイヒール着用時など踵部が高い位置にあってつま先部分に荷重した際には、前記中足骨頭部の前側に対応する部分が５本の中足骨頭部に対しての荷重面を提供するインソールによって課題解決できた。
2017175424.tif 000002
【特許請求の範囲】
【請求項１】
中足骨頭部後側から前方に対応する範囲に、中足骨頭部の前側に対応させて横断的に横断隆起部を山脈状に形成し、かつ、第２趾に対応する部位から第５趾側に向けて緩やかな上り勾配を形成し、
ハイヒール着用時など踵部が高い位置にあってつま先部分に荷重した際には、前記中足骨頭部の前側に対応する部分が５本の中足骨頭部に対しての荷重面を提供することを特徴とするインソール。
【請求項２】
請求項１に記載のインソールを備えたことを、又は、請求項１のインソールと一体化した形態を有することを特徴とする靴。
【発明の詳細な説明】
【技術分野】
【０００１】
本発明は、ハイヒール、スニーカー、婦人靴、ブーツ、紳士靴、登山靴、安全靴、運動靴などに使用するインソール及びそのインソールを装着した靴に関する。
【背景技術】
【０００２】
特許文献１には、可撓性の基材と、 前記基材のうち、基節骨底から中足指節関節に至るまでにほぼ
対応する領域に設けられた第１隆起部と、前記基材のうち第２中足骨頭にほぼ対応する頂きとなるように設けられた第２隆起部とを備えるハイヒール靴用インソールが開示されている。【０００３】
特許文献２には、足の指先部に対応させて横断的に前部隆起部が形成され、 前記前部隆起部は、稜線が第５趾側から第２趾側に向けた緩やかな下り勾配とされた山脈状部と、第２趾と母趾との間に前記山脈状部の第２趾端の裾野から連続的に起立形成された独立峰状部と、母趾をガイドする前記独立峰状部に隣接させて溝状に形成された溝状部とを含み、前記前部隆起部によりつま先における荷重面が拡大されて荷重圧が均等化されてなるハイヒール用中敷が開示されている。
【先行技術文献】
【特許文献】
【０００４】
【特許文献１】特許第５８０８９３４公報
【特許文献２】特許第５３６４７９７公報
【発明の概要】
【発明が解決しようとする課題】
【０００５】
特許文献１に記載の発明は、基材の頂部位から前方の領域の前後方向に長さが短いことから、引用文献１の図３Ｅに示されているように、足の指先の裏側がハイヒールの表面と上下方向の間隙が生じているため、ハイヒールを履くと足が前方に滑りやすいという問題があった。また、引用文献１の図４に示されているようにインソールを前からみると中央部が高く左右両端側を低くしているため、ハイヒールを履いた時に、前足部の荷重面が前から見て中央部の隆起部に集中して荷重面積が小さくなることとともに、足が横方向で不安定になり足の傾きや脛の捻じれが生じやすいという問題があった。【０００６】
特許文献２に記載の発明は、足の指先部に対応させて横断的に形成した前部隆起部の前後方向の幅が短いため、足のサイズまたは形態がインソールの設計と完全に適合しない場合には、ハイヒールを履いたときに足が前記隆起部を乗り越えて前方にすべるという問題があった。【０００７】
本発明はこうした問題に鑑み創案されたもので、つま先が細くて靴底が傾斜したハイヒールのような靴であっても、また足のサイズや形態がインソールの設計と完全に適合しない状態においても、足をつま先側へ滑らせず、足底の荷重面積を拡大し、足の傾きや脛の捩じれを防ぐインソール及びそのインソールを装着した靴を提供することを課題とする。
【課題を解決するための手段】
【０００８】
請求項１に記載のインソール１は、中足骨頭部２１ａ後側から前方に対応する範囲に、中足骨頭部２１ａの前側に対応させて横断的に横断隆起部５を山脈状に形成し、かつ、第２趾に対応する部位から第５趾側に向けて緩やかな上り勾配を形成し、ハイヒール着用時など踵部５２が高い位置にあってつま先部分に荷重した際には前記中足骨頭部２１ａの前側に対応する部分が５本の中足骨頭部２１ａに対しての荷重面を提供することを特徴とする。【０００９】
請求項２に記載の靴２は、請求項１に記載のインソールを備えたことを、又は、請求項１のインソールと一体化した形態を有することを特徴とする靴。
【発明の効果】
【００１０】
請求項１に記載のインソール１は、中足骨頭部２１ａ後側から前方に対応する範囲に、中足骨頭部２１ａの前側に対応させて横断的に横断隆起部５を山脈状に形成したことにより、踵部５２が上がるハイヒールを履いたときに、第１趾から第５趾までの中足骨頭部２１ａの部分がしっかりと上り坂の後方傾斜面７に密着して前記横断隆起部５を乗り越えなくなるので、足４０が前方に滑らないという効果を奏する。【００１１】
また、足の骨３０の中足骨頭部２１ａの前後方向は第２趾の先端部に比較して第５趾側が徐々に後方になり短くなっている。第２趾に対応する部位から第５趾側に向けて緩やかな上り勾配を形成したことにより、踵部５２が上がるハイヒールを履いたときに、靴の前方側からみて足指の中で最も長い第２趾に対して第５趾側にいくほど中足骨頭部２１ａの先端部が上方に位置するのをしっかりと前記横断隆起部５に密着させることができ、足４０の姿勢を真っ直ぐに安定化を図ることができる。【００１２】
また、足４０が前方に滑り込まないので、ハイヒールのような先が細い靴２でも足４０の指先が締め付けられるということを防ぐ。また、足が傾かないので、脛が捩じれず、膝関節に捩じれが生じないため、膝がまっすぐ伸びて腰も真っ直ぐ伸びるという効果を有する。膝がまっすぐに伸びることにより腰から上の背骨の姿勢がよくなる。これらによって、外反母趾の防止ができ、膝のＯ脚を防止することができる。【００１３】
足４０が前方に滑っていかないので、靴２が横方向に拡がるのを防ぐ効果があり、これにより靴２を長持ちさせる効果がある。【００１４】
請求項２に記載の靴２は、インソール１の形状による請求項１と同じ効果を有するという効果を奏する。
【図面の簡単な説明】
【００１５】
【図１】本発明の前部インソールの右足用の概要平面図である。
【図２】前部インソールの断面図であって、（ａ）が前後方向の断面であって図１におけるＡ―Ａ断面図で、（ｂ）が第１趾周囲の左右方向の断面であって、図１におけるＢ―Ｂ断面図で、（ｃ）が第５趾周囲の左右方向の断面である。
【図３】前部インソールの概要側面であって、（ａ）が第１趾側側面図であり、（ｂ）が第５趾側側面図である。
【図４】標準的日本人の右足の骨格状況を示す骨格図である。
【図５】後部インソールの右足用の概要平面図である。
【図６】ハイヒールの底面（輪郭のみ）にインソールを貼設した平面図である。
【図７】ハイヒールの側面図である。
【図８】ハイヒールを履いたときの側面図で中足骨頭部近傍より前側の靴を透過した状態を示す説明図である。
【図９】ハイヒールを履いたときの足の側面図である。
【発明を実施するための形態】
【００１６】
本願発明のインソール１は、図１〜図３に示すように、中足骨頭部２１ａ後側から前方に対応する範囲に、中足骨頭部２１ａの前側に対応させて横断的に横断隆起部５を山脈状に形成し、かつ、第２趾に対応する部位から第５趾側に向けて緩やかな上り勾配を形成し、ハイヒール着用時など踵部５２が高い位置にあってつま先部分に荷重した際には前記中足骨頭部２１ａの前側に対応する部分が５本の中足骨頭部２１ａに対しての荷重面を提供することを有する。前記インソール１を前部インソール３とも称する。
【００１７】
本願発明のインソール１をさらに詳しく説明する。前記前部インソール３は、前後方向の長さが図４の足の骨３０に示す基節骨頭部２０ａ前側から中足骨頭部２１ａ後側に対応する範囲に設けられている。そして、前記前部インソール３は、基節骨頭部２０ａから中足骨頭部２１ａの前側に対応させて、図１に示すように横断的に横断隆起部５が山脈状に形成され、前記横断隆起部５の稜線は、第２趾に対応する部位から第１趾側に向けて緩やかな上り勾配を形成し、第２趾に対応する部位から第５趾側に向けて緩やかな上り勾配を形成し、かつ、前記横断隆起部５の厚みを第５趾側の厚みを第１趾側の厚みより厚くし、前記横断隆起部５の稜線より中足骨頭部２１ａ側は、第２趾から第４趾までの範囲は前記稜線より中足骨頭部２１ａ後端側に向けて緩やかな下り勾配の後方傾斜面７を形成し、前記横断隆起部５の稜線より中足骨頭部２１ａ側の第１趾側は、第１中足骨２２の内側を第２中足骨方向に押圧するとともに、ハイヒール着用時など踵部５２が高い位置にあってつま先部分に荷重した際には第2中足骨頭よりもやや短い第1中足骨頭にも荷重面を形成するように前記稜線を第１中足骨２２の内側に対応する範囲まで延設させて第１中足骨内側隆起部８を形成し、前後方向で前記第１中足骨内側隆起部８は第１中足骨頭部２１ａ後端付近で急な下り勾配を形成し、左右方向で前記第１中足骨内側隆起部８の第１中足骨２２側に急な下り勾配の第１中足骨側傾斜面９を形成し、前記横断隆起部５の稜線より中足骨頭部２１ａ側の第５趾側は、第５中足骨２３の外側を第４中足骨方向に押圧するとともに、ハイヒール着用時など踵部５２が高い位置に移動してつま先部分に荷重した状態において最も短く、最も荷重面から離れた位置にある第５中足骨頭にも荷重面を形成するように前記稜線を第５中足骨２３の外側に対応する範囲まで延設させて第５中足骨外側隆起部１０を形成し、前後方向で前記第５中足骨外側隆起部１０は第５中足骨頭部２３後端付近で急な下り勾配を形成し、左右方向で前記第５中足骨外側隆起部１０の第５中足骨２３側に急な下り勾配の第５中足骨外側傾斜面１１を形成している。
【００１８】
前記インソール１は、前後方向で基節骨頭部２０ａ前側から中足骨頭部２１ａ後側に対応する範囲にわたり、前後方向で略中間部に該当する基節骨底部２０ｂと中足骨頭部２１ａ間に対応させた部位には、横断的に横断隆起部５を山脈状に形成している。前記横断隆起部５の稜線は、第２趾に対応する部位から第１趾側に向けて緩やかな上り勾配を形成し、第２趾に対応する部位から第５趾側に向けて緩やかな上り勾配を形成し、かつ、前記横断隆起部５の厚みを第５趾側の厚みを第１趾側の厚みより厚くしている。
【００１９】
前記第２趾に対応する部位を最も低くしているのは、第２中足骨頭部の位置が他の中足骨頭部２１ａの位置より踵部５２から最も足指の方まで延びていることから、第２趾に対応する部位を低くし他の中足骨に対応する部位を高くすることによってすべての中足骨２１全体の姿勢の安定化を実現させている。このことにより足４０の傾きやねじれの発生を抑制している。
【００２０】
前記インソール１の横断隆起部５の稜線より基節骨２０側の形体は、すなわち指先の付け根から前側は、前記横断隆起部５の稜線より中足骨頭部２１ａ側の形体により中足骨頭部２１ａの前方への滑りを止めるので大きな荷重がかかることはないが、例えば、第１趾から第５趾までの範囲にわたり前記稜線より基節骨頭部２０ａ前端までにわたり基節骨頭部２０ａ前端側に向けて緩やかな下り勾配の前方傾斜面６を前後方向約２ｃｍ幅で形成する形体とすることができる。この形体とした場合は、前記前方傾斜面６に足指を当接させることによって、すべての指先に荷重させることができ不安定状態になるのを防いでいる。また、前記横断隆起部５の稜線より中足骨頭部２１ａ側の形体により中足骨頭部２１ａの前方への滑りを止めるので、前記横断隆起部５の稜線より基節骨２０側にインソール部分を設けなくてもよい。
【００２１】
前記インソール１の横断隆起部５の稜線より中足骨頭部２１ａ側の形体は、大きく３つの形体を備えている。まず、第２趾から第４趾までの範囲は前記稜線より中足骨頭部２１ａ後端側に向けて緩やかな下り勾配の後方傾斜面７を形成している。前記後方傾斜面７は前後方向で約２〜３ｃｍの幅で形成されており、図８に示すように、前記後方傾斜面７には足の第１趾から第５趾までの中足骨頭部２１ａ付近が密着して当接する。
【００２２】
これにより、足４０の第１趾から第５趾までの中足骨頭２１ａ付近が前記横断隆起部５の稜線を乗り越えることが困難となって足４０が前方に滑ることを阻止できる。
【００２３】
次に、前記横断隆起部５の稜線より中足骨頭部２１ａ側の第１趾側は、第１中足骨２２の内側を第２中足骨方向に押圧するように前記稜線を第１中足骨２２の内側に対応する範囲まで延設させて第１中足骨内側隆起部８を形成し、前後方向で前記第１中足骨内側隆起部８は第１中足骨頭部２１ａ後端付近で急な下り勾配を形成し、左右方向で前記第１中足骨内側隆起部８の第１中足骨２２側に急な下り勾配の第１中足骨側傾斜面９を形成している。これにより、第１中足骨２２の内方向への移動を規制することができる。
【００２４】
一方、前記横断隆起部５の稜線より中足骨頭部２１ａ側の第５趾側は、第５中足骨２３の外側を第４中足骨方向に押圧するように前記稜線を第５中足骨２３の外側に対応する範囲まで延設させて第５中足骨外側隆起部１０を形成し、前後方向で前記第５中足骨外側隆起部１０は第５中足骨頭部２１ａ後端付近で急な下り勾配を形成し、左右方向で前記第５中足骨外側隆起部１０の第５中足骨２３側に急な下り勾配の第５中足骨側傾斜面１１を形成している。これにより、第５中足骨２３の外方向への移動を規制するとともに、第５中足骨２３に荷重させることができる。
【００２５】
前記後方傾斜面７、第１中足骨側傾斜面９及び第５中足骨側傾斜面１１を備える形体のインソール１により第１乃至第５の中足骨頭部２１ａの荷重面が全中足骨頭部２１ａに拡大して、足４０の傾きやねじれを防止することができ、足４０の中足骨頭部２１ａ側が前記横断隆起部５の稜線を乗り越えにくくすることを支えている。
【００２６】
次に、本願発明のインソール１には、図５及び図６に示すように、足４０の骨配列により形成されるドーム構造の扁平化を避ける位置であって、内側が足底腱膜、外側が第５中足骨と小趾外転筋、前側が中足骨頭、後側が踵球によって囲まれ、先広形状で、わずかに先高かつ後低形状からなる中央隆起部１２と、前後方向で土踏まず５０の範囲であって、足４０がつま先方向５１に移動するのを防ぐように踵部５２の前縁部に対応する部位をつま先方向５１側を高く踵部５２側を低くした側部外側隆起部１３及び側部内側隆起部１４を有する後部インソール４を備えてもよい。
【００２７】
前記中央隆起部は１２、扁平足になりにくくするようにかつ足４０の傾きやねじれの発生を防止するように内側縦アーチ及び外側縦アーチを保持し、前記側部外側隆起部１３及び側部内側隆起部１４は、足４０の後半部の横方向の移動を阻止し踵部５２のつま先方向５１への滑りを防止する。このことは使用により靴２自体が拡がるのを防ぐ効果があり、靴２を長持ちさせる効果もある。
【００２８】
また、本願発明の靴２は、少なくとも前記前部インソール３を備えた靴２、または、前記前部インソール３と一体化した靴２である。靴２は、人が履いたときの荷重により捩じれない厚みや捩じれない硬さを有するとともに、歩行中の立脚終末期においてつま先の関節４１である中足指節間関節が、図９に示すように背屈Ｈしすぎないように十分な硬さを有するミッドソール（図示なし）、及び／又は、図７や図８に示すようにアウトソール１７を備えている。ミッドソールは運動靴などに設けられインソール１とアウトソール１７との間に設けられる。歩行時などの靴２の使用中に、靴底に体重がかかって靴底がねじれるとインソールの狙いが発揮できない。そこで、靴底が捩じれないように硬い材料を使用しているので、ハイヒールなどの靴がねじれないことからインソール１の狙い通りの効果を期待できる。
【００２９】
靴２としては、ハイヒール、スニーカー、婦人靴、ブーツ、紳士靴、登山靴、安全靴、運動靴などのすべての靴が含まれる。
【００３０】
前部インソール３や後部インソール４の材質は、天然ゴム、シリコン樹脂等の合成ゴム、ＥＶＡ（エチレン酢酸ビニル樹脂）等の発泡樹脂、皮革、合成皮革、ベルベットや不織布等の繊維材料、ＰＶＣ（塩化ビニル樹脂）、ＰＵ（ポリウレタン樹脂）などの弾力性を有する材料が望ましい。また板厚２〜１０ｍｍ程度で造られる。
【００３１】
前部インソール３や後部インソール４は、靴２と一体化された形態の場合は前部インソール３や後部インソール４が靴２に対して前後方向にずれないし、靴２と一体化されない前部インソール３や後部インソール４を備えた靴２の場合は靴２の底に接着剤で貼設されるので、前部インソール３や後部インソール４が靴２に対して前後方向にずれない。
【符号の説明】
【００３２】
１        インソール
２        靴
３        前部インソール
４        後部インソール
５        横断隆起部
６        前方傾斜面
７        後方傾斜面
８        第１中足骨内側隆起部
９        第１中足骨内側傾斜面
１０      第５中足骨外側隆起部
１１      第５中足骨外側傾斜面
１２      中央隆起部
１３      側部外側隆起部
１４      側部内側隆起部
１７      アウトソール
２０      基節骨
２０ａ    基節骨頭部
２０ｂ    基節骨底部
２１      中足骨
２１ａ    中足骨頭部
２２      第１中足骨
２３      第５中足骨
３０      足の骨
４０      足
４１      つま先の関節
５０      土踏まず
５１      つま先方向
５２      踵部
Ｈ        背屈
【図１】
2017175424.tif 000003
【図２】
2017175424.tif 000004
【図３】
2017175424.tif 000005
【図４】
2017175424.tif 000006
【図５】
2017175424.tif 000007
【図６】
2017175424.tif 000008
【図７】
2017175424.tif 000009
【図８】
2017175424.tif 000010
【図９】
2017175424.tif 000011
【国際調査報告】
2017175424.tif 000012
2017175424.tif 000013